(57)【要約】      （修正有）【課題】差札体をケーキや菓子等の食品に差し込んで使用されることになり、この際、上記差札体の表面に文字や図形等の表示パターンが施され、かつ、上記差札体は中窓穴をもつシート状の差札枠に透光性を有する透光性フィルムを貼着積層形成してなるから、上記中窓穴の透光性フィルムを介して差札体の背景を額縁からの覗き見状に視認することができ、この中窓穴の透光性フィルムを介しての額縁からの覗き見状の視認により背景を立体感をもって視認することができ、装飾効果や宣伝効果等の表示機能を高めることができ、この付加価値により差別化や識別化を高めることができる食品用差札を提供する。【解決手段】ケーキや菓子等の食品に差し込んで使用される差札体１の表面に文字や図形等の表示パターンＰが施されてなり、差札体は中窓穴Ｍをもつシート状の差札枠１ａに透光性を有する透光性フィルム１ｂを貼着積層形成してなる。【選択図】図１
0003173847.tif 000002
【実用新案登録請求の範囲】
【請求項１】
ケーキや菓子等の食品に差し込んで使用される差札体の表面に文字や図形等の表示パターンが施されてなり、上記差札体は中窓穴をもつシート状の差札枠に透光性を有する透光性フィルムを貼着積層形成してなることを特徴とする食品用差札。
【請求項２】
上記表示パターンは上記差札枠の表面に施されていることを特徴とする請求項１記載の食品用差札。
【請求項３】
上記表示パターンは上記透光性フィルムの表面に施されていることを特徴とする請求項１又は２記載の食品用差札。
【考案の詳細な説明】
【技術分野】
【０００１】
本考案は例えばケーキや菓子類に直接差して用いられる食品用差札に関するものである。
【背景技術】
【０００２】
従来、この種の差札として、各種の輪郭形状の差札体の表面に文字や図形等の表示パターンが印刷により施された構造のものが知られている。
【０００３】
しかして、この差札をケーキや菓子類等の表面に直接差し込み、食品の美感を高めたり、装飾的価値や宣伝的価値を高めたり、他社製品との差別化を高めたりするようにしている。
【先行技術文献】
【特許文献】
【０００４】
【特許文献１】実用新案登録第３１２８７１２号公報
【考案の概要】
【考案が解決しようとする課題】
【０００５】
しかしながらこれらの従来の差札にあっては、ケーキや菓子等の食品に差し込んで使用したとき、差札体は不透明であるから差札体の背部を視認することができず、それ故、平面的な表示態様となり、装飾効果や宣伝効果の表示機能が乏しいことがあるという不都合を有している。
【課題を解決するための手段】
【０００６】
本考案はこれらの不都合を解決することを目的とするもので、本考案のうちで、請求項１記載の考案は、ケーキや菓子等の食品に差し込んで使用される差札体の表面に文字や図形等の表示パターンが施されてなり、上記差札体は中窓穴をもつシート状の差札枠に透光性を有する透光性フィルムを貼着積層形成してなることを特徴とする食品用差札にある。
【０００７】
又、請求項２記載の考案は、上記表示パターンは上記差札枠の表面に施されていることを特徴とするものであり、又、請求項３記載の考案は、上記表示パターンは上記透光性フィルムの表面に施されていることを特徴とするものである。
【考案の効果】
【０００８】
本考案は上述の如く、請求項１記載の考案にあっては、差札体をケーキや菓子等の食品に差し込んで使用されることになり、この際、上記差札体の表面に文字や図形等の表示パターンが施され、かつ、上記差札体は中窓穴をもつシート状の差札枠に透光性を有する透光性フィルムを貼着積層形成してなるから、上記中窓穴の透光性フィルムを介して差札体の背景を額縁からの覗き見状に視認することができ、この中窓穴の透光性フィルムを介しての額縁からの覗き見状の視認により背景を立体感をもって視認することができ、装飾効果や宣伝効果等の表示機能を高めることができ、この付加価値により差別化や識別化を高めることができ、差札の商品価値を向上することができる。
【０００９】
又、請求項２記載の考案にあっては、上記表示パターンは上記差札枠の表面に施されているから、差札枠の表示機能を向上することができ、又、請求項３記載の考案にあっては、上記表示パターンは上記透光性フィルムの表面に施されているから、透光性フィルムの商品価値を向上することができる。
【図面の簡単な説明】
【００１０】
【図１】本考案の実施の第一形態例の斜視図である。
【図２】本考案の実施の第一形態例の分離斜視図である。
【図３】本考案の実施の第一形態例の断面図である。
【図４】本考案の実施の第一形態例の使用状態図である。
【図５】本考案の実施の第二形態例の斜視図である。
【図６】本考案の実施の第二形態例の断面図である。
【図７】本考案の実施の第二形態例の正面図である。
【図８】本考案の実施の第三形態例の正面図である。
【図９】本考案の実施の第四形態例の正面図である。
【図１０】本考案の実施の第五形態例の正面図である。
【考案を実施するための形態】
【００１１】
図１乃至図１０は本考案の実施の形態例を示し、図１乃至図４は第一形態例、図５乃至図７は第二形態例、図８は第三形態例、図９は第四形態例、図１０は第五形態例である。
【００１２】
図１乃至図４の第一形態例において、１は差札体であって、外輪郭が菱形状に形成され、ケーキや菓子等の食品Ｗに差し込んで使用され、この差札体１は、紙材や合成樹脂材製にして菱形窓状の中窓穴Ｍをもつシート状の差札枠１ａに例えば合成樹脂製の透光性を有する透光性フィルム１ｂを貼着積層形成した構造となっており、差札枠１ａの表面に文字や図形、着色等の表示パターンＰが印刷により施されている。尚、上記表示パターンＰは上記差札枠１ａの表面及び上記透光性フィルム１ｂの表面、又は、上記差札枠１ａの表面のみ、又は、上記透光性フィルム１ｂの表面のみに施されることがある。
【００１３】
この実施の第一形態例は上記構成であるから、図４の如く、差札体１をケーキや菓子等の食品Ｗに差し込んで使用されることになり、この際、上記差札体１の表面に文字や図形等の表示パターンＰが施され、かつ、図２、図３の如く、上記差札体１は中窓穴Ｍをもつシート状の差札枠１ａに透光性を有する透光性フィルム１ｂを貼着積層形成してなるから、上記中窓穴Ｍの透光性フィルム１ｂを介して差札体１の背景を額縁からの覗き見状に視認することができ、この中窓穴Ｍの透光性フィルム１ｂを介しての額縁からの覗き見状の視認により背景を立体感をもって視認することができ、装飾効果や宣伝効果等の表示機能を高めることができ、この付加価値により差別化や識別化を高めることができ、差札の商品価値を向上することができる。
【００１４】
又、この場合、上記表示パターンＰは上記差札枠１ａの表面に施されているから、差札枠１ａの表示機能を向上することができる。
【００１５】
図５乃至図７の第二形態例は別例構造を示し、この場合、差札体１の外輪郭は正方形状に形成され、この差札体１は紙材や合成樹脂材製にして正方形窓状の中窓穴Ｍをもつシート状の差札枠１ａに例えば合成樹脂製の透光性を有する透光性フィルム１ｂを貼着積層形成した構造となっており、透光性フィルム１ｂの表面に文字や図形、着色等の表示パターンＰが印刷により施されている。
【００１６】
又、この場合、上記表示パターンＰは上記透光性フィルム１ｂの表面に施されているから、透光性フィルム１ｂの表示機能を向上することができる。
【００１７】
図８の第三形態例は別例構造を示し、この場合、差札体１の外輪郭は円形状に形成され、この差札体１は紙材や合成樹脂材製にして円形窓状の中窓穴Ｍをもつシート状の差札枠１ａに例えば合成樹脂製の透光性を有する透光性フィルム１ｂを貼着積層形成した構造となっており、透光性フィルム１ｂの表面に文字や図形、着色等の表示パターンＰが印刷により施されている。
【００１８】
図９の第四形態例は別例構造を示し、この場合、差札体１の外輪郭は楕円状に形成され、この差札体１は紙材や合成樹脂材製にして楕円状の中窓穴Ｍをもつシート状の差札枠１ａに例えば合成樹脂製の透光性を有する透光性フィルム１ｂを貼着積層形成した構造となっており、透光性フィルム１ｂの表面に文字や図形、着色等の表示パターンＰが印刷により施されている。
【００１９】
図１０の第五形態例は別例構造を示し、この場合、差札体１の外輪郭は四角状に形成され、この差札体１は紙材や合成樹脂材製にして四角窓状の中窓穴Ｍをもつシート状の差札枠１ａに例えば合成樹脂製の透光性を有する透光性フィルム１ｂを貼着積層形成した構造となっており、差札枠１ａ及び透光性フィルム１ｂのそれぞれの表面に文字や図形、着色等の表示パターンＰが印刷により施されている。
【００２０】
これら第二形態例、第三形態例、第四形態例及び第五形態例にあっても、上記第一形態例と同様な作用効果を得ることができる。
【００２１】
尚、本考案は上記実施の形態例に限られるものではなく、差札体１、差札枠１ａ、中窓穴Ｍ、透光性フィルム１ｂの外輪郭や窓穴の形状、大きさ、材質等は適宜変更して設計されるものである。
【００２２】
以上、所期の目的を充分達成することができる。
【符号の説明】
【００２３】
Ｗ    食品
Ｍ    中窓穴
Ｐ    表示パターン
１    差札体
１ａ    差札枠
１ｂ    透光性フィルム
【図１】
0003173847.tif 000003
【図２】
0003173847.tif 000004
【図３】
0003173847.tif 000005
【図４】
0003173847.tif 000006
【図５】
0003173847.tif 000007
【図６】
0003173847.tif 000008
【図７】
0003173847.tif 000009
【図８】
0003173847.tif 000010
【図９】
0003173847.tif 000011
【図１０】
0003173847.tif 000012